(57)【要約】      （修正有）【課題】電子カメラを備える携帯電子機器を支持しうる小型で簡易な電子カメラ付き携帯電子機器用雲台を提供すること。【解決手段】板状体からなる基台４１と、前記基台４１にヒンジ機構４３により回動自在に取り付けられ、かつ所定角度に回動付勢し得る回動板４４と、前記回動板４４に連結されて電子カメラ付き携帯電子機器を固定する固定部材（例えば面状ファスナー５０）と、を備えた電子カメラ付き携帯電子機器用雲台４０Ａであって、前記基台４１は、キャップ付き容器のキャップに嵌合しうる嵌合部を備えている。【選択図】図７
0003114439.tif 000002
【実用新案登録請求の範囲】
【請求項１】
板状体からなる基台と、前記基台にヒンジ機構により回動自在に取り付けられ、かつ所定角度に回動付勢し得る回動板と、前記回動板に連結されて電子カメラ付き携帯電子機器を固定する固定部材と、を備えていることを特徴とする電子カメラ付き携帯電子機器用雲台。
【請求項２】
前記基台は、キャップ付き容器のキャップに嵌合しうる嵌合部を備えていることを特徴とする請求項１に記載の電子カメラ付き携帯電子機器用雲台。
【請求項３】
前記嵌合部は、前記キャップ付き容器のキャップを覆うように嵌合し得る弾性部材からなることを特徴とする請求項２に記載の電子カメラ付き携帯電子機器用雲台。
【請求項４】
前記嵌合部は、前記基台に設けられた前記キャップが嵌挿される孔であることを特徴とする請求項２に記載の電子カメラ付き携帯電子機器用雲台。
【請求項５】
前記固定部材は、吸盤からなることを特徴とする請求項１〜４のいずれかに記載の電子カメラ付き携帯電子機器用雲台。
【請求項６】
前記固定部材は、前記回動板に固定された前記電子カメラ付き携帯電子機器を包囲固定し得る面状ファスナーからなることを特徴とする請求項１〜４のいずれかに記載の電子カメラ付き携帯電子機器用雲台。
【請求項７】
前記固定部材は、前記回動板の両側面から前面に向かって前記前面と所定距離離間した複数の鉤状に湾曲した鉤片を備え、前記複数の鉤片と前記回動板の前面との間に前記電子カメラ付き携帯電子機器を載置するようにしたことを特徴とする請求項１〜４のいずれかに記載の電子カメラ付き携帯電子機器用雲台。
【請求項８】
前記複数の鉤状に湾曲した鉤片は、１枚の湾曲された剛性板体の両端部に形成され、前記湾曲された剛性板体の中間部が前記回動板の裏面に固定されていることを特徴とする請求項７に記載の電子カメラ付き携帯電子機器用雲台。
【請求項９】
前記複数の鉤状に湾曲した鉤片は、それぞれ折り曲げた剛性金属線により形成され、前記折り曲げた剛性金属線の両端部をそれぞれ前記回動板の両側面に固定したことを特徴とする請求項８に記載の電子カメラ付き携帯電子機器用雲台。
【請求項１０】
前記複数の鉤状に湾曲した鉤片は、それぞれ折り曲げた剛性金属線により形成され、前記折り曲げた剛性金属線の両端部が他の前記折り曲げた剛性金属線の両端部にそれぞれ弾性部材により連結されていることを特徴とする請求項７に記載の電子カメラ付き携帯電子機器用雲台。
【請求項１１】
前記基台の側壁面には複数のくびれ部が形成されており、前記基台と前記回動板を当接させた際に、前記鉤片が前記くびれ部に嵌合されて前記基台と前記回動板とを一体に固定することを特徴とする請求項１０に記載の電子カメラ付き携帯電子機器用雲台。
【請求項１２】
前記回動板は、前記基台に対して水平方向に回転可能なターンテーブルを介して設けられていることを特徴とする請求項１〜１１のいずれかに記載の電子カメラ付き携帯電子機器用雲台。
【請求項１３】
前記ターンテーブルと前記固定部材との間には、前記ターンテーブルの回動位置を規制し得る係止部材が設けられていることを特徴とする請求項１２に記載の電子カメラ付き携帯電子機器用雲台。
【請求項１４】
前記回動板の取付部近傍に前記電子カメラ付き携帯電子機器の充電端子と接続し得る端子部と、前記端子と電気的に接続された外部電源と接続し得る接続端子と、をさらに有することを特徴とする請求項１〜１３のいずれかに記載の電子カメラ付き携帯電子機器用雲台。
【考案の詳細な説明】
【技術分野】
【０００１】
本考案は特別な固定手段が設けられていない電子カメラ付き携帯電子機器を用いてスナップ写真等を撮る際に、簡単に電子カメラ付き携帯電子機器を固定することが可能な電子カメラ付き携帯電子機器用雲台に関するものである。
【背景技術】
【０００２】
カメラやビデオカメラ等を用いて撮影を行う際に、手ブレの防止及びリモート撮影などを行うために、このカメラあるいはビデオカメラを三脚で固定することが一般に行われている。しかしながら、三脚は折畳み式のものであっても比較的大きく、またその設置が面倒であるとの理由から、より簡単に設置できる小型の三脚あるいはその代替品が求められている（例えば、下記特許文献１参照）。
【０００３】
図２０は下記特許文献１に記載のカメラ支持具を示すものであり、図２０（ａ）及び図２０（ｂ）はカメラ支持具を容器の口筒に接続した状態を示す概略断面図、図２０（ｃ）は容器の口筒に固定したカメラ支持具にカメラを設置した状態を示す正面図である。
図２０に示すように、従来のカメラ保持具１００は、空きビン、ペットボトル等の容器１１０の口筒１１１に取り付けられる封体１０１と、カメラ１２０の螺子孔に取り付け可能な螺子ピン１０２とからなっている。封体１０１は、容器１１０の口筒１１１に嵌入できる栓形状であって、ゴムや合成樹脂製であり、口径の異なるいかなる口筒１１１にも嵌入できるように略逆円錐台形状としている。また、口筒１１１が螺子キャップ構造であれば、封体１０１としては螺子キャップを採用することになる。この封体１０１の中心上面に突設された螺子ピン１０２は、カメラ１２０の下面に穿設された螺子孔に螺合できるようになっており、この螺子ピン１０２と螺子孔との螺合により、封体１０１とカメラ１２０とは一体化し、容器１１０の口筒１１１に装着される。また、封体１０１の上面に螺子ピン１０２を直接突設する構成に限らず、封体１０１と螺子ピン１０２との間に湾曲変形が自在な蛇腹形状の支持桿１０３を介在させても良い。
【０００４】
上記従来技術によれば、極めて簡単な構成で三脚の代替品として使用することができ、廉価に製造できるので或る種の景品等として頒布することができ、軽量であるので携帯に便利である等、多くの優れた作用効果を奏する。
【０００５】
【特許文献１】特開２０００−１７０９９３号公報（図１、段落［００１２］〜［００１６］、［００２５］）
【考案の開示】
【考案が解決しようとする課題】
【０００６】
上記従来技術に開示されているように、カメラあるいはビデオカメラ等の支持具として、空きビンあるいはペットボトルの口筒に取り付けてカメラを支持するものは、簡単に入手できる容器を用いているために取付け用の支持具自体が小さく、持ち運び容易であることから実用性は高い。そして、カメラあるいはビデオカメラを固定する際にはカメラあるいはビデオカメラが三脚を取り付けるため標準的に備えている螺子孔を用いている。
【０００７】
ところで、近年携帯通信機器、特に携帯電話機におけるハード面の発展に伴い、携帯電話機にカメラ機能を標準装備した携帯電話機が広く普及してきている。このカメラ機能は未だデジタルカメラ等と比べると画質の差があるとはいえ、年々高精度・高感度化が進んでおり、通常のカメラとしての利用にも十分耐えうる程度の機能を備えている。そのため当然ながら、この携帯電話機を用いてスナップ写真等を撮影する場合も存在する。
【０００８】
しかしながら、携帯電話機にはカメラあるいはビデオカメラのように三脚を取り付けることが想定されていないために、三脚等を取り付けるための螺子孔が設けられておらず、そのため、カメラあるいはビデオカメラを想定した上記従来技術に開示されたようなカメラ保持具を用いることは不可能である。
【０００９】
また、近年においては携帯電話機を用いたテレビ電話機能を備える携帯電話機も存在しており、このテレビ電話機能を用いて長時間通話を行う際には、携帯電話機本体を所定位置に向けた状態で長時間手で保持し続けなければならず面倒である。
【００１０】
本考案者らは、上記問題点を解決する方法を種々検討した結果、螺子孔が設けられていない携帯電話機等の携帯通信機器を固定可能な構造を備えた雲台を用いることで、上記問題点が解決できることを見出し、本考案に至ったものである。
【００１１】
すなわち、本考案の目的は、電子カメラを備える携帯電子機器を支持しうる小型で簡易な電子カメラ付き携帯電子機器用雲台を提供することである。
【００１２】
また、本考案の他の目的は、テレビ電話機能を用いた場合でも手による保持を長時間行わなくてもよく、かつ手に持った場合のように電子カメラの角度を容易に変更できる電子カメラ付き携帯電子機器用雲台を提供することである。
【課題を解決するための手段】
【００１３】
上記目的を達成するために、本考案の請求項１に記載の電子カメラ付き携帯電子機器用雲台は、板状体からなる基台と、前記基台にヒンジ機構により回動自在に取り付けられ、かつ所定角度に回動付勢し得る回動板と、前記回動板に連結されて電子カメラ付き携帯電子機器を固定する固定部材と、を備えていることを特徴とする。
【００１４】
また、請求項２に記載の考案は、請求項１に記載の電子カメラ付き携帯電子機器用雲台において、前記基台は、キャップ付き容器のキャップに嵌合しうる嵌合部を備えていることを特徴とする。
【００１５】
また、請求項３に記載の考案は、請求項２に記載の電子カメラ付き携帯電子機器用雲台において、前記嵌合部は、前記キャップ付き容器のキャップを覆うように嵌合し得る弾性部材からなることを特徴とする。
【００１６】
また、請求項４に記載の考案は、請求項２に記載の電子カメラ付き携帯電子機器用雲台において、前記嵌合部は、前記基台に設けられた前記キャップが嵌挿される孔であることを特徴とする。
【００１７】
また、請求項５に記載の考案は、請求項１〜４のいずれかに記載の電子カメラ付き携帯電子機器用雲台において、前記固定部材は、吸盤からなることを特徴とする。
【００１８】
また、請求項６に記載の考案は、請求項１〜４のいずれかに記載の電子カメラ付き携帯電子機器用雲台において、前記固定部材は、前記回動板に固定された前記電子カメラ付き携帯電子機器を包囲固定し得る面状ファスナーからなることを特徴とする。
【００１９】
また、請求項７に記載の考案は、請求項１〜４のいずれかに記載の電子カメラ付き携帯電子機器用雲台において、前記固定部材は、前記回動板の両側面から前面に向かって前記前面と所定距離離間した複数の鉤状に湾曲した鉤片を備え、前記複数の鉤片と前記回動板の前面との間に前記電子カメラ付き携帯電子機器を載置するようにしたことを特徴とする。
【００２０】
また、請求項８に記載の考案は、請求項７に記載の電子カメラ付き携帯電子機器用雲台において、前記複数の鉤状に湾曲した鉤片は、１枚の湾曲された剛性板体の両端部に形成され、前記湾曲された剛性板体の中間部が前記回動板の裏面に固定されていることを特徴とする。
【００２１】
また、請求項９に記載の考案は、請求項８に記載の電子カメラ付き携帯電子機器用雲台において、前記複数の鉤状に湾曲した鉤片は、それぞれ折り曲げた剛性金属線により形成され、前記折り曲げた剛性金属線の両端部をそれぞれ前記回動板の両側面に固定したことを特徴とする。
【００２２】
また、請求項１０に記載の考案は、請求項７に記載の電子カメラ付き携帯電子機器用雲台において、前記複数の鉤状に湾曲した鉤片は、それぞれ折り曲げた剛性金属線により形成され、前記折り曲げた剛性金属線の両端部が他の前記折り曲げた剛性金属線の両端部にそれぞれ弾性部材により連結されていることを特徴とする。
【００２３】
また、請求項１１に記載の考案は、請求項１０に記載の電子カメラ付き携帯電子機器用雲台において、前記基台の側壁面には複数のくびれ部が形成されており、前記基台と前記回動板を当接させた際に、前記鉤片が前記くびれ部に嵌合されて前記基台と前記回動板とを一体に固定することを特徴とする。
【００２４】
また、請求項１２に記載の考案は、請求項１〜１１のいずれかに記載の電子カメラ付き携帯電子機器用雲台において、前記回動板は、前記基台に対して水平方向に回転可能なターンテーブルを介して設けられていることを特徴とする。
【００２５】
また、請求項１３に記載の考案は、請求項１２に記載の電子カメラ付き携帯電子機器用雲台において、前記ターンテーブルと前記固定部材との間には、前記ターンテーブルの回動位置を規制し得る係止部材が設けられていることを特徴とする。
【００２６】
また、請求項１４に記載の考案は、請求項１〜１３のいずれかに記載の電子カメラ付き携帯電子機器用雲台において、前記回動板の取付部近傍に前記電子カメラ付き携帯電子機器の充電端子と接続し得る端子部と、前記端子と電気的に接続された外部電源と接続し得る接続端子と、をさらに有することを特徴とする。
【考案の効果】
【００２７】
本考案は、上記構成を備えることにより以下に示すような優れた効果を奏する。すなわち、請求項１の考案によれば、携帯電子機器、特にカメラあるいはビデオカメラのように三脚の使用が想定されておらず、かつ電子カメラを備える携帯電話機等であっても、本考案の雲台を用いることにより、容易に三脚の代用品として写真撮影等を行うことができるようになる。すなわち、回動板を基台に対して立設するように回動させ、携帯電話機等の裏面をこの回動板に当接させるとともに固定部材により固定するので、特別な固定手段のない携帯電子機器においても安定に保持でき、携帯電話機を用いた写真撮影等を行うことができる。
【００２８】
また、請求項２の考案によれば、基台にキャップ付き容器のキャップに嵌合する嵌合部を設けたことにより、ペットボトル等の身近にある容器にこの雲台を取り付けることで、容易に携帯電話用の三脚の代用品とすることができ、外出先であっても集合写真等を簡単に撮影することができる。
【００２９】
また、請求項３の考案によれば、雲台をキャップ付き容器に取り付ける際にキャップを覆う弾性部材を介して取付けを行うので、キャップの外径の許容値が大きくなるとともに、キャップへの取付けを強固に行えるようになる。
【００３０】
また、請求項４の考案によれば、基台に設けた孔にキャップを嵌挿することで、雲台を容器に固定できるので、キャップへの雲台の取付けを簡単かつ強固に行えるようになる。
【００３１】
また、請求項５の考案によれば、固定部材に吸盤を用いることで、携帯電話機を強固に固定できるとともに、構成部品が吸盤のみであるので安価に製造できる。
【００３２】
また、請求項６の考案によれば、固定部材に面状ファスナーを用いることで、携帯電話機自体の形状に影響され難く、どのような形状のものであっても回動板に保持させることができる。
【００３３】
また、請求項７及び８の考案によれば、固定部材として剛性の鉤片を用いることで、携帯電話機の設置が容易になるとともに固定部材の機械的強度が高いので、耐久性が向上し、破損し難くなる。
【００３４】
また、請求項９の考案によれば、鉤片を剛性金属線により形成することにより、鉤片自体の材料を減らすことができ、経済的である。
【００３５】
また、請求項１０の考案によれば、鉤片が弾性部材により固定されているので、この鉤片に付勢力が働いて携帯電話機をより強固に保持することができるとともに、設置あるいは取り外しの際にはこの鉤片を付勢力に抗して作動させれば簡単に取り外すことができる。
【００３６】
また、請求項１１の考案によれば、鉤片を基台に設けたくびれ部に嵌合されることで、回動板と基台とを一体に固定することができ、不使用時、特に携帯する場合には、雲台自体がコンパクトになり、好ましい。
【００３７】
また、請求項１２の考案によれば、回動板をターンテーブル上に設けたことにより、縦方向への回動とともに水平方向への回動も可能であるので、携帯電話機の稼動自由度が増大し、内蔵された電子カメラの位置を容易に変更できるようになる。
【００３８】
また、請求項１３の考案によれば、ターンテーブルに係止部材を設けたことにより、所望の位置でターンテーブルが係止されてズレが生じることがなく、また水平回動の際に適度なクリック感が得られるので、使用感が向上する。
【００３９】
また、請求項１４の考案によれば、電子カメラ付き携帯電子機器の充電機能を備えることにより、充電起用の卓上スタンドと、電子カメラ付き携帯電子機器の保持を目的とする雲台と、を兼用でき、これらを別途準備する必要がないため、経済的である。
【考案を実施するための最良の形態】
【００４０】
以下、図面を参照して本考案の最良の実施形態を説明する。但し、以下に示す実施形態は、本考案の技術思想を具体化するための電子カメラ付き携帯電子機器用雲台を例示するものであって、本考案をこれらに特定することを意図するものではなく、実用新案登録請求の範囲に含まれるその他の実施形態のものも等しく適応し得るものである。なお、以下には携帯電子機器として携帯電話機を用いた場合について説明するが、これに限定されることなく、電子カメラを備えるＰＤＦ等の三脚の使用が想定されていない種々の携帯電子機器に適応できることは当業者にとり自明であろう。
【実施例１】
【００４１】
図１は本考案の実施例１に係る電子カメラ付き携帯電子機器用雲台（以下、単に雲台と述べる。）をキャップ付き容器に取り付けた状態を示す斜視図、図２は図１の雲台に携帯電話機を載置した状態を示す側面図である。
実施例１の雲台１０Ａが取り付けられる飲料水等が内部に入ったビン及びペットボトル等のキャップ付き容器（以下、単に容器と述べる。）１は、図２に示すように、容器上方に開口部２が設けられ、この開口部２を覆うようにキャップ３が取り付けられている。
【００４２】
雲台１０Ａは、図１及び図２に示すように、容器１のキャップ３に取り付け可能なように、その一面がキャップ３の上面に所定の固定手段を用いて固定される扁平な板状の基台１１と、この基台１１のうち前記固定手段が設けられた面の裏側に位置する面の一部に、ヒンジ１３を介して固定された扁平な板状の回動板１２とを備えている。また、基台１１はその各辺がキャップ３の直径よりも長い四辺形状の板体からなり、さらにその各辺のうち、対向する一対の辺が他の２辺よりも長くなっている。そして、回動板１２は基台１１の短辺とほぼ等しい長さを有する一対の対向する２辺と、この２辺よりも長い他の対向する２辺とからなる四辺形状の板体からなり、その各辺のうち、一方の短辺がヒンジ１３により基台１１に連結されている。なお、前記固定手段としては、複数回の固定及び離脱が可能でキャップのサイズに合わせて変形しうる弾性部材等を用いると良い。
【００４３】
基台１１と回動板１２とを連結するヒンジ１３は、基台１１の短辺と平行し、かつ基台１１の対向する短辺からそれぞれ所定距離離れた基台１１上面に設けられた第１支持部１３ａと、回動板１２の一方の短辺に設けられた第２支持部１３ｂと、を支軸１３ｃにより連結したものであって、更に、第１、第２支持部１３ａ、１３ｂを付勢するように設けられた公知の駆動機構（図示省略）により回動付勢された状態で回動自在に固定されている。
【００４４】
また、回動板１２の中央部付近には、所定径を有する貫通孔２２が設けられており、この貫通孔２２には、携帯電話機を固定するための吸盤２１が固定されている。なお、この吸盤２１は雲台１０Ａに載置される携帯電話の幅方向の長さよりも短い径を有している。
【００４５】
上記構成を備える雲台１０Ａの使用状態、すなわちこの雲台１０Ａを用いて携帯電話機Ｐによる写真撮影を行う場合について図１および図２を参照して以下に説明する。
最初に、基台１１の固定手段により容器１のキャップ３に雲台１０Ａを取り付ける。この際に用いられる容器１としては飲料水用の容器として一般に使用されているペットボトルあるいはビン等であるが、雲台１０Ａが取り付けられ、かつ携帯電話機Ｐが載置されても転倒しないように、ある程度の質量を有する必要があるため、この容器１の内部は飲料水等が入った状態で用いるとよい。雲台１０Ａの取り付けが完了すると、回動板１２を支軸１３ｃを軸として、基台１１から立設するような位置まで回動させ、この回動板１２の吸盤２１の吸着面が設けられた面にその裏面が位置するように、例えば折畳み式の携帯電話機である場合はこの携帯電話機Ｐを開いた状態で配設する。このとき、携帯電話機Ｐの下端部は基台１１の上面に載置される。そして、吸盤２１を携帯電話機Ｐの裏面に吸着させた状態で、ヒンジ１３等を調整することでカメラの位置を調整し、撮影を行う。
【００４６】
なお、携帯電話機Ｐを雲台１０Ａ上に載置する場合、携帯電話機Ｐの重心と容器１の重心とが鉛直な同一直線上に位置すると、携帯電話機Ｐを載置した際に容器１自体がふらつくことがなく好ましい。よって、基台１１上面に設けられた第１支持部１３ａの取付位置は携帯電話機の形状等に合わせて適宜設定されている。また、この雲台１０Ａは使用しない場合は基台１１と回動板１２とが近接するように折畳んでおけるので省スペースで持ち運びの邪魔になることがない。
【００４７】
上記実施例１に示したように、携帯電話機Ｐの裏面を吸盤２１により吸着させる場合は、携帯電話機の固定を強固に行うことができるため、携帯電話機Ｐのブレを効果的に押さえることができるとともに、構成部品が少ないために安価で省スペースとなる。
【実施例２】
【００４８】
次に本考案の第２の実施例について以下に説明する。ただし、本実施例における雲台１０Ｂは、基台及び回動板の構成については上記実施例１に示したものとほぼ同一であるのでここではその説明は省略し、上記実施例１と異なる構成からなる部分のみ説明する。
【００４９】
図３は本考案の実施例２に係る雲台をキャップ付き容器に取り付けた状態を示す斜視図、図４は図３の雲台に携帯電話機を載置した状態を示す側面図である。
本実施例の雲台１０Ｂは、その回動板１２の長手方向に対して平行で、かつその長辺に近接する位置に細長な一対の貫通孔２６、２６が設けられており、この貫通孔２６、２６には、所定長さを備え帯状で所定の柔軟性を備えた面状ファスナー２５が挿通されてこの面状ファスナー２５は回動板１２に保持されている。
【００５０】
この面状ファスナー２５は、図３に示すように、貫通孔２６、２６の長手方向の長さとほぼ同一の幅長を有し、その長さは、図４に示すように、この回動板１２に立て掛けられる携帯電話機Ｐの全周を囲みうる長さで、かつ携帯電話機Ｐを囲んだ状態における長手方向における端部同士が重複する長さが少なくとも２〜４ｃｍとなる程度の長さである。また、この面状ファスナー２５の長手方向の一端部周辺には接着面２５ａが設けられており、この一端部を携帯電話機Ｐの全周を囲んだのち、面状ファスナー２５の他端部に接着させることで携帯電話機Ｐを回動板１２に固定するものである。
【００５１】
上記構成を備える雲台１０Ｂの使用状態、すなわちこの雲台１０Ｂを用いて携帯電話機Ｐによる写真撮影を行う場合について図３および図４を参照して以下に説明する。
はじめに基台１１の固定手段により容器１のキャップ３に雲台１０Ｂを取り付ける。雲台１０Ｂの取り付けが完了すると、回動板１２を支軸１３ｃを軸として、基台１１から立設するような位置まで回動させ、この回動板１２のうち貫通孔２６、２６から面状ファスナー２５の両端部が突出した面に携帯電話機Ｐの裏面が位置するように、例えば折畳み式の携帯電話機である場合はこの携帯電話機Ｐを開いた状態で配設する。このとき、携帯電話機Ｐの下端部は基台１１の上面に載置される。そして、携帯電話機Ｐの全周に亘って面状ファスナー２５を囲むようにし、その両端部を重ね合わせて接着させることで回動板１２に携帯電話機Ｐを固定した後、ヒンジ１３等を調整することでカメラ位置を調整し、撮影を行う。
【００５２】
上記実施例２に示したように、携帯電話機Ｐを帯状の面状ファスナー２５で固定する場合は、携帯電話機Ｐ自体の形状に影響され難く、またその構成も簡単であることから上記実施例１と同様に、安価で省スペースな雲台１０Ｂを提供することができる。
【実施例３】
【００５３】
次に本考案の第３の実施例について以下に説明する。ただし、本実施例における雲台１０Ｃは、基台及び回動板の構成については上記実施例１に示したものとほぼ同一であるのでここではその説明は省略し、上記実施例１と異なる構成からなる部分のみ説明する。
【００５４】
図５は本考案の実施例３に係る雲台をキャップ付き容器に取り付けた状態を示す斜視図、図６は図５の雲台に携帯電話機を載置した状態を示す側面図である。
本実施例の雲台１０Ｃは、回動板１２の長手方向中間部付近に携帯電話機Ｐを固定するための固定部材３０が取り付けられている。固定部材３０は金属等の剛体からなり、所定の幅を備え、回動板１２の短辺よりも若干長い板体３１と、この板体３１の長手方向両端部から延設され、内側に向かってほぼＵ字状に湾曲した一対の鉤片３２、３２とを備え、板体３１の中央部が螺子等からなる固定手段３３によって回動板１２の一方の面に固定されている。そしてこの一対の鉤片３２、３２は、この鉤片３２、３２と回動板１２とにより形成される空間に携帯電話機Ｐが差し込み挿入できるように内側に向かって湾曲している。
【００５５】
上記構成を備える雲台１０Ｃの使用状態、すなわちこの雲台１０Ｃを用いて携帯電話機Ｐによる写真撮影を行う場合について図５および図６を参照して以下に説明する。
はじめに基台１１の固定手段により容器１のキャップに雲台１０Ｃを取り付ける。雲台１０Ｃの取り付けが完了すると、回動板１２を支軸１３ｃを軸として、基台１１から立設するような位置まで回動させ、この回動板１２に携帯電話機Ｐの裏面が当接するように、例えば折畳み式の携帯電話機である場合はこの携帯電話機Ｐを開いた状態で配設する。このとき、携帯電話Ｐは固定部材３０の一対の鉤片３２、３２と回動板１２とにより形成された空間に向かってその下端を差し込むように配設され、携帯電話機Ｐの下端部が基台１１の上面に載置されるまで差し込まれる。そして、このように携帯電話機Ｐを固定部材３０により固定した後、ヒンジ１３等を調整することでカメラ位置を調整し、撮影を行う。
【００５６】
上記実施例３に示したように、携帯電話機Ｐを差し込むだけで良いので設置がより簡単に行えるとともに、固定部材３０が剛体から形成されているので、耐久性が高く、破損しにくい。
【実施例４】
【００５７】
次に本考案の第４の実施例について以下に説明する。図７は本考案の実施例４に係る雲台を示す概略斜視図、図８は図７の雲台の不使用状態を示す概略斜視図、図９は図７の雲台に携帯電話機を載置し、キャップ付き容器のキャップに取り付けた状態を示す側面図、図１０は図７の雲台に携帯電話機を載置し、回動板を９０°水平方向に回転させた状態を示す斜視図、図１１は図１０の雲台の基台上に容器を載置した状態を示す斜視図である。なお、本実施例において使用されるキャップ付き容器は、上記実施例１〜３に示すものと同一であるので、同一の符号を付してその説明は省略する。
【００５８】
本実施例の雲台４０Ａは、図７に示すように、扁平で長方形状の板体からなる基台４１と、この基台４１の長方形状の上面４１ａにおける一方の短辺に近接する位置に水平方向に対して回動自在に取り付けられたターンテーブル４２と、このターンテーブル４２の上面にヒンジ４３を介して垂直方向に回動自在に取り付けられた回動板４４とを備えている。また、この回動板４４は長方形状の基台４１の短辺より若干短い長さを有する一対の対向する２辺と、この２辺よりも長い他の対向する２辺とからなる四辺形状の板体からなり、その各辺のうち、一方の短辺がヒンジ４３により基台４１に連結されている。
【００５９】
基台４１は、その一面の中央部に容器１のキャップ３の外径よりも若干大きな円形の貫通孔４５を備え、この貫通孔４５の内面には、所定の肉厚を有するリング状の弾性部材４６が取り付けられており、これにより、この雲台４０Ａをキャップ３に取り付ける際には、キャップ３をこの弾性部材４６を介して貫通孔４５に挿入することにより、この貫通孔４５内に嵌合させるものである。なお、この貫通孔４５の設置位置は、回動板４４及びターンテーブル４２のベース部４７に携帯電話機Ｐが載置されても容器１が転倒しないように、その位置が適宜調整されている。
【００６０】
ターンテーブル４２は、ほぼ半円形状の板体と、この板体の直線状の側面から延設された携帯電話機Ｐの下端部が載置されるベース部４７とからなり、半円形状の板体の下面の中心点近傍が基台４１に回転自在に固定されている。また、基台４１の上面４１ａのターンテーブル４２が設けられる位置は、他の部分に比べて段部を介して肉薄となっており、ターンテーブル４２が取り付けられた際に、このターンテーブル４２が上方に突出しないようになっている。
【００６１】
ヒンジ４３は、ターンテーブル４２の縁部に中心点に対して対向させて設けられた一対の円筒状の第１支持部４３ａと、回動板４４の一方の短辺にこの短辺に沿って併設された円筒状の第２支持部４３ｂと、この第１、第２支持部４３ａ、４３ｂの貫通孔に挿通される支軸４３ｃとからなり、回動板４４を垂直方向に回動自在に固定している。
【００６２】
回動板４４は、基台４１よりも小さな長方形状の板体からなり、その板体の一対の長辺の側壁面には、両側壁面を貫通するように、この長辺に平行な方向に向かって長い貫通孔４４ａが設けられている。そして、この貫通孔４４ａには、貫通孔４４ａより若干幅狭な所定の長さを備える帯状の面状ファスナー５０が挿入され、螺子５１（図８参照）等により固定されており、この面状ファスナー５０は回動板４４の前記ベース部４７側に位置する一方の面４８ａに携帯電話機Ｐの裏面を当接させた状態において携帯電話機Ｐを包囲固定し得る長さを有するとともに、不使用状態において、回動板４４の他方の面４８ｂを基台４１に当接させた状態で、この基台４１を包囲固定し得る長さを有している。そして、この面状ファスナー５０の長手方向両端部には、接着部５２ａ、５２ｂがそれぞれ設けられている。
【００６３】
上記構成を備える雲台４０Ａは、不使用状態においては、図８に示すように、回動板４４の他方の面４８ｂが基台４１の上面４１ａに当接するようにヒンジ４３部分で回動され、基台４１と回動板４４とが当接された状態で、面状ファスナー５０で基台４１を囲むようにして両板体を固定する。このように、雲台４０Ａは不使用状態においては持ち運び容易なように小型化される。
【００６４】
次に、この雲台４０Ａの使用状態について、以下に図７及び図９を参照して説明する。
はじめに基台４１の貫通孔４５に容器１のキャップ３を嵌挿することにより雲台４０Ａを容器１に取り付ける。この際に用いられる容器１としては飲料水用の容器として一般に使用されているペットボトルあるいはビン等であるが、雲台４０Ａが取り付けられ、かつ携帯電話機Ｐが載置されても転倒しないように、ある程度の質量を有する必要があるため、この容器１は飲料水等が入った状態で用いるとよい。雲台４０Ａの取り付けが完了すると、回動板４４を支軸４３ｃを軸として、基台４１の上面４１ａに他方の面４８ｂが当接された位置から立設させるように回動させ、この回動板４４の一方の面４８ａに携帯電話機Ｐの裏面が当接するように、例えば折畳み式の携帯電話機である場合はこの携帯電話機Ｐを開いた状態で配設する。このとき、携帯電話機Ｐの下端部はターンテーブル４２のベース部４７に載置される。そして、携帯電話機Ｐの全周に亘って面状ファスナー５０を囲むようにし、その両端部を重ね合わせて接着部５２ａ、５２ｂを接着させることで回動板４４に携帯電話機Ｐを固定した後、ヒンジ４３及びターンテーブル４２等を回動調整することでカメラ位置を調整し、撮影を行う。
【００６５】
本実施例においては、上記実施例２に示す効果に加えて、縦方向のカメラ位置の調整に加えて、水平方向へのカメラ位置の調整も容易に行えるようになるので、カメラ位置の調整の自由度が大きく、より簡単に位置調整を行うことができるようになる。
【００６６】
ところで、上記実施例４においては、容器１のキャップ３に基台４１を取り付けて使用する場合について説明したが、基台４１を固定することができれば、このような使用形態に限らず同様の機能を実現することができる。そこで、以下には、基台４１を他の方法により固定した場合について図１０及び図１１を参照して説明する。
【００６７】
先ず、回動板４４を支軸４３ｃを軸として、基台４１の上面４１ａに他方の面４８ｂが当接された位置から立設させるように回動させ、この回動板４４の一方の面４８ａに携帯電話機Ｐの裏面が当接するように配設する。このとき、携帯電話機Ｐの下端部はターンテーブル４２のベース部４７に載置される。そして、携帯電話機Ｐの全周に亘って面状ファスナー５０を囲むようにし、その両端部を重ね合わせて接着部５２ａ、５２ｂを接着させることで回動板４４に携帯電話機Ｐを固定する。この状態において、ターンテーブル４２をいずれかの方向に９０°回動させて携帯電話機Ｐの正面部が基台４１の長手方向に直交する方向に向けられる（図１０参照）。そして基台のターンテーブル４２が配設されている面以外の上面４１ａ上に固定用の錘、例えば中身が入った状態の容器１を載置し、雲台４０Ａが転倒しないように固定する（図１１参照）。このように雲台４０Ａを固定した後、ヒンジ４３等を回動調整することでカメラ位置を調整し、撮影を行う。
【００６８】
この方法によれば、雲台４０Ａを固定するものがキャップ付き容器１に限定されず、所定の重量を備えたものであればどのようなものであっても良い。また、この場合には基台４１の上面の面積を大きくすると錘としてより多くのものを使用できるようになるし、またこの場合には貫通孔４５を設ける必要はなく、雲台４０Ａをより簡単な構成で製造できる。
【実施例５】
【００６９】
次に本考案の第５の実施例について以下に説明する。図１２は本考案の実施例５に係る雲台を示す概略斜視図、図１３は図１２の雲台の不使用状態を示す概略斜視図、図１４は図１２の雲台に携帯電話機を載置し、キャップ付き容器のキャップに取り付けた状態を示す側面図、図１５は図１２の雲台に携帯電話機を載置し、回動板を９０°水平方向に回転させた状態を示す斜視図、図１６は図１５の雲台の基台上に容器を載置した状態を示す斜視図、図１７は図１６を横方向から見た右側面図である。ただし、本実施例における雲台４０Ｂは、基台及び回動板等の基本的な構成については上記実施例４に示した雲台４０Ａとほぼ同一であるのでここではその説明は省略し、上記実施例４と異なる構成からなる部分についてのみ説明する。
【００７０】
本実施例における雲台４０Ｂは、上記実施例４に示したものとほぼ同一の基台４１、ターンテーブル４２及びヒンジ４３を備え、回動板４４は、基台４１の長手方向の長さをほぼ同一の長さを備える長方形状の板体からなり、そのヒンジ４３が設けられた位置の反対側の短辺近傍には、携帯電話機Ｐを固定するための固定部材が設けられている。
【００７１】
本実施例にかかる固定部材は、図１２に示すように、回動板４４の対向する長辺同士を貫通するように所定間隔を空けて設けられた２つの貫通孔５５ａ、５５ｂにその両端部がそれぞれ挿通される一対の剛性金属線からなる保持部材５６ａ、５６ｂと、貫通孔５５ａ、５５ｂ内にそれぞれ配設されて一対の保持部材５６ａ、５６ｂの一方の端部同士を連結するバネ体５７ａ、５７ｂ（図１３参照）とから構成されている。
【００７２】
一対の剛性金属線からなる保持部材５６ａ、５６ｂは、その両端部が貫通孔５５ａ、５５ｂの開口部にそれぞれ所定長さ挿入されており、その中間部全体が、回動板の他方の面４８ｂに向かって湾曲されているとともに他方の保持部材５６ｂ、５６ａに向かってその中心部が延設されて、全体として鉤状の保持形状となっている。また、この保持部材５６ａ、５６ｂの他方の面４８ｂ側への延伸距離は、携帯電話機Ｐの肉厚よりも長く、また基台４１の肉厚よりも長くなっている。
【００７３】
上記構成を備える雲台４０Ｂは、不使用状態においては、図１３に示すように、回動板４４の他方の面４８ｂが基台４１の上面４１ａに当接するようにヒンジ４３部分で回動され、基台４１の、回動板４４の他方の面４８ｂが基台４１の上面４１ａに当接した状態において保持部材５６ａ、５６ｂが位置する側面に設けられたくびれ部４９に保持部材５６ａ、５６ｂが回動板４４の回動に伴って嵌合されることにより、回動板４４と基台４１とを一体に固定する。このように、雲台４０Ｂは不使用状態においては持ち運び容易なように小型化される。
【００７４】
次に、本実施例の雲台４０Ｂの使用状態について、以下に図１２及び図１４を参照して説明する。
はじめに基台４１の貫通孔４５に容器１のキャップ３を嵌挿することにより雲台４０Ｂを容器１に取り付ける。雲台４０Ｂの取り付けが完了すると、回動板４４を支軸４３ｃを軸として、基台４１の上面４１ａに他方の面４８ｂが当接された位置から立設させるように回動させ、更にターンテーブル４２を１８０°回転させる。そして、この回動板４４の他方の面４８ｂに携帯電話機Ｐの裏面が当接するように、保持部材５６ａ、５６ｂと回動板４４の他方の面４８ｂに囲まれた空間に携帯電話機Ｐを差し込むように配設する。このとき、携帯電話機Ｐの下端部はターンテーブル４２上に載置される。なお、携帯電話機Ｐ
の配設は、上述のように差し込むように配設してもよいし、保持部材５６ａ、５６ｂをバネ体５７ａ、５７ｂの付勢力に抗して開放して配設するようにしてもよい。この場合、バネ体５７ａ、５７ｂの付勢力により携帯電話機Ｐを保持部材５６ａ、５６ｂで把持するようになせば、携帯電話機Ｐのブレを押さえることができる。そして、上述のように携帯電話機Ｐを固定した後、ヒンジ４３及びターンテーブル４２等を回動調整することでカメラ位置を調整し、撮影を行う。
【００７５】
本実施例においては、上記実施例４の効果に加えて、雲台の使用状態・不使用状態への切換えがワンタッチで行えるので、より使い勝手が向上する。また、保持部材を剛性金属線により形成したので、耐久性が向上し、破損し難い。
【００７６】
ところで、本実施例においても、上記実施例４と同様に、その使用に際して必ずしも容器１のキャップ３に基台４１を取り付けて使用する場合に限定されるものではない。そこで、以下には、本実施例において基台４１を他の方法により固定した場合を図１５〜図１７を参照して説明する。
【００７７】
先ず、基台４１の貫通孔４５に容器１のキャップ３を嵌挿することにより雲台４０Ｂを容器１に取り付ける。雲台４０Ｂの取り付けが完了すると、回動板４４を支軸４３ｃを軸として、基台４１の上面４１ａに他方の面４８ｂが当接された位置から立設させるように回動させ、更にターンテーブル４２を１８０°回転させる。そして、この回動板４４の他方の面４８ｂに携帯電話機Ｐの裏面が当接するように、保持部材５６ａ、５６ｂと回動板４４の他方の面４８ｂに囲まれた空間に携帯電話機Ｐを差し込むように配設する。このとき、携帯電話機Ｐの下端部はターンテーブル４２上に載置される。この状態において、ターンテーブル４２をいずれかの方向に９０°回動させて携帯電話機Ｐの正面部が基台４１の長手方向に直交する方向に向けられる（図１５参照）。そして基台４１のターンテーブル４２が配設されている面以外の上面４１ａ上に固定用の錘、例えば中身が入った状態の容器１を載置し、雲台４０Ｂが転倒しないように固定する（図１６、図１７参照）。このように雲台４０Ｂを固定した後、ヒンジ４３等を回動調整することでカメラ位置を調整し、撮影を行う。
【００７８】
この方法によれば、雲台４０Ｂを固定するものがキャップ付き容器１に限定されず、所定の重量を備えたものであればどのようなものであっても良くなる。
【実施例６】
【００７９】
上記各実施例においては、本考案の雲台を、電子カメラ付きの携帯電話機による撮影等を行う場合にのみ使用するものについて説明したが、この雲台を携帯電話機の充電用の卓上スタンドと兼用するようにしてもよい。そこで、本考案の第６の実施例として、上記実施例５に記載した雲台４０Ｂを充電用卓上スタンドとして兼用した雲台４０Ｃを以下に図１８〜図１９を参照して説明する。なお、本実施例の雲台４０Ｃは上記実施例５の雲台４０Ｂと基本的構成は同一であるので、異なる点についてのみ説明し、重複する点は同一の符号を付してその説明を省略するものとする。
【００８０】
図１８は本考案の実施例６にかかる雲台を示す斜視図、図１９は図１８の雲台の使用状態を示す斜視図である。本実施例の電子カメラ付き携帯電子機器用雲台４０Ｃは、図１８に示すように、ターンテーブル４２のベース部の側壁面に携帯電話機Ｐの充電用アダプタ６０のプラグ６１が挿入されるコネクタ６２が設けられており、このコネクタ６２はターンテーブル４２上の携帯電話機Ｐが載置される位置に設けられた一対の接触端子６３、６３に連結しており、プラグ６１から供給される電源をこの接触端子６３、６３に供給する。
【００８１】
上記構成を備える雲台４０Ｃを充電器として使用する場合は、図１９に示すように、回動板４４を基台４１に対して立設させた状態で、携帯電話機Ｐを保持部材５６ａ、５６ｂと回動板４４の他方の面４８ｂとで形成された空間に配設し、携帯電話機Ｐの下端に位置する充電用接触子（図示省略）を接触端子６３に接触させる。そして、ターンテーブル４２のコネクタ６２にアダプタ６０のプラグ６１を接続し、アダプタ６０のソケット６４をコンセント６５に差し込んで携帯電話機Ｐの充電を行う。
【００８２】
なお、本実施例の雲台４０Ｃを電子カメラの撮影等に用いる際には、プラグ６１を取り外して、上記実施例５に示す方法により使用を行えば、上記実施例５と同様の効果を奏することができる。なお、実施例５に示す固定部材に限らず、上記実施例１〜４に記載した固定手段を用いることももちろん可能である。
【００８３】
上述のように、本実施例においては、携帯電話機の電子カメラを使用した撮影等に限らず、充電用の卓上スタンドとしての機能も備えるので、日常的には充電用の卓上スタンドとして利用し、テレビ電話を使用した通話を行う場合あるいは外出先で撮影等を行う場合は携帯電話機保持用の雲台として利用するようになせば、ユーザが携帯電話機保持用の雲台を別途購入する必要がなく、経済的である。
【００８４】
なお、上記実施例１〜３に示す実施形態においては、携帯電話機Ｐを固定する部材を回動板上に設けたが、必ずしも回動板に固定される必要はなく、固定する部材自体が基台から延設され、回動自在に固定されていても良い。
【００８５】
また、上記実施例１〜５に記載して固定部材の各構成においてはその他の構造が他の実施例に記載された構造の場合であっても適応することができ、ここではその説明が重複するため省略しているが、その実現方法においては、上記実施例の記載から容易に実現可能であることは明白であろう。
【図面の簡単な説明】
【００８６】
【図１】図１は本考案の実施例１に係る電子カメラ付き携帯電子機器用雲台をキャップ付き容器に取り付けた状態を示す斜視図、
【図２】図２は図１の電子カメラ付き携帯電子機器用雲台に携帯電話機を載置した状態を示す側面図、
【図３】図３は本考案の実施例２に係る電子カメラ付き携帯電子機器用雲台をキャップ付き容器に取り付けた状態を示す斜視図、
【図４】図４は図３の電子カメラ付き携帯電子機器用雲台に携帯電話機を載置した状態を示す側面図、
【図５】図５は本考案の実施例３に係る電子カメラ付き携帯電子機器用雲台をキャップ付き容器に取り付けた状態を示す斜視図、
【図６】図６は図５の電子カメラ付き携帯電子機器用雲台に携帯電話機を載置した状態を示す側面図、
【図７】図７は本考案の実施例４に係る電子カメラ付き携帯電子機器用雲台を示す概略斜視図、
【図８】図８は図７の電子カメラ付き携帯電子機器用雲台の不使用状態を示す概略斜視図、
【図９】図９は図７の電子カメラ付き携帯電子機器用雲台に携帯電話機を載置し、キャップ付き容器のキャップに取り付けた状態を示す側面図、
【図１０】図１０は図７の電子カメラ付き携帯電子機器用雲台に携帯電話機を載置し、回動板を９０°水平方向に回転させた状態を示す斜視図、
【図１１】図１１は図１０の電子カメラ付き携帯電子機器用雲台の基台上に容器を載置した状態を示す斜視図、
【図１２】図１２は本考案の実施例５に係る電子カメラ付き携帯電子機器用雲台を示す概略斜視図、
【図１３】図１３は図１２の電子カメラ付き携帯電子機器用雲台の不使用状態を示す概略斜視図、
【図１４】図１４は図１２の電子カメラ付き携帯電子機器用雲台に携帯電話機を載置し、キャップ付き容器のキャップに取り付けた状態を示す側面図、
【図１５】図１５は図１２の電子カメラ付き携帯電子機器用雲台に携帯電話機を載置し、回動板を９０°水平方向に回転させた状態を示す斜視図、
【図１６】図１６は図１５の電子カメラ付き携帯電子機器用雲台の基台上に容器を載置した状態を示す斜視図、
【図１７】図１７は図１６を横方向から見た右側面図、
【図１８】図１８は本考案の実施例６にかかる電子カメラ付き携帯電子機器用雲台を示す斜視図、
【図１９】図１９は図１８の電子カメラ付き携帯電子機器用雲台の使用状態を示す斜視図、
【図２０】図２０は従来のカメラ支持具を示すものであり、図２０（ａ）及び図２０（ｂ）はカメラ支持具を容器の口筒に接続した状態を示す概略断面図、図２０（ｃ）は容器の口筒に固定したカメラ支持具にカメラを設置した状態を示す正面図。
【符号の説明】
【００８７】
Ｐ              携帯電話機
１              （キャップ付き）容器
２              開口部
３              キャップ
１０Ａ〜１０Ｃ  （電子カメラ付き携帯電子機器用）雲台
１１            基台
１２            回動板
１３            ヒンジ
１３ａ、１３ｂ  第１、第２支持部
１３ｃ          支軸
２１            吸盤
２２            貫通孔
２５            面状ファスナー
２６            貫通孔
３０            固定部材
３１            板体
３２            鉤片
３３            固定手段
４０Ａ〜４０Ｃ  （電子カメラ付き携帯電子機器用）雲台
４１            基台
４１ａ          （雲台）上面
４２            ターンテーブル
４３            ヒンジ
４３ａ、４３ｂ  第１、第２支持部
４３ｃ          支軸
４４            回動板
４５            貫通孔
４６            弾性部材
４７            ベース部
４８ａ          （回動板の）一方の面
４８ｂ          （回動板の）他方の面
４９            くびれ部
５０            面状ファスナー
５１            螺子
５２ａ、５２ｂ  接着部
５５ａ、５５ｂ  貫通孔
５６ａ、５６ｂ  保持部材
５７ａ、５７ｂ  バネ体
６０            （充電用）アダプタ
６１            プラグ
６２            コネクタ
６３            接触端子
６４            ソケット
６５            コンセント
【図１】
0003114439.tif 000003
【図２】
0003114439.tif 000004
【図３】
0003114439.tif 000005
【図４】
0003114439.tif 000006
【図５】
0003114439.tif 000007
【図６】
0003114439.tif 000008
【図７】
0003114439.tif 000009
【図８】
0003114439.tif 000010
【図９】
0003114439.tif 000011
【図１０】
0003114439.tif 000012
【図１１】
0003114439.tif 000013
【図１２】
0003114439.tif 000014
【図１３】
0003114439.tif 000015
【図１４】
0003114439.tif 000016
【図１５】
0003114439.tif 000017
【図１６】
0003114439.tif 000018
【図１７】
0003114439.tif 000019
【図１８】
0003114439.tif 000020
【図１９】
0003114439.tif 000021
【図２０】
0003114439.tif 000022